(57)【特許請求の範囲】
【請求項１】
遊技機の外枠に設けられた開口部を塞ぐ閉位置と該開口部を開放する開位置との間で開閉する前枠と、
該外枠と該前枠とのうち一方に設けられた第１電子部品と、
該外枠と該前枠とのうち他方に設けられた第２電子部品と、
前記第１電子部品と前記第２電子部品のうち一方に設けられた第１コネクタ部材と、他方に設けられ、該第１コネクタ部材と嵌合する第２コネクタ部材と、を有し、該第１電子部品と該第２電子部品とを電気的に接続するコネクタユニットと、
該第１コネクタ部材と該第２コネクタ部材との嵌合状態を検出する検出手段と、
該第１電子部品への通電を制御する制御手段と、を備え、
前記前枠が閉位置の状態では、前記第１コネクタ部材と前記第２コネクタ部材とが嵌合し、かつ前記第１電子部品と前記第２電子部品とが電気的に接続された第１状態となり、
該第１状態から該前枠が前記開位置へ向かって移動することにより、該第１コネクタ部材と該第２コネクタ部材との嵌合が解除され、かつ該第１電子部品と該第２電子部品とが電気的に接続された第２状態となり、
該第２状態から該前枠が該開位置に向かって移動することにより、該第１電子部品と該第２電子部品との電気的な接続が解除された第３状態となるように構成されており、
前記検出手段は、前記第１状態から前記第２状態になったことを検出するように構成されており、
前記制御手段は、該検出手段による該第２状態の検出を契機として、前記第１電子部品への通電を解除するように構成され、
前記第１コネクタ部材は、前記第２コネクタ部材側に突出した突出部を有し、
前記第２コネクタ部材は、前記突出部が挿入される挿入部を有し、
前記突出部は、第１突出部と、該第１突出部よりも短い第２突出部と、を有しており、
前記第１状態では、前記第１突出部及び前記第２突出部が前記挿入部に挿入され、
前記第２状態では、前記第１突出部が前記挿入部に挿入され、かつ前記第２突出部が該挿入部から抜け、
前記第３状態では、前記第１突出部及び前記第２突出部が前記挿入部から抜けるように構成されており、
前記検出手段は、前記第２突出部が前記挿入部から抜けたことに基づいて前記第１状態から第２状態になったことを検出するように構成されており、
前記前枠は、前記外枠の一側面に沿って配置された回転軸を中心にして開閉するように構成されており、
前記第２突出部は、前記第１突出部よりも前記回転軸から離間して配置され、該前枠が前記閉位置から前記開位置に向かって移動する際に前記第１突出部よりも先に前記挿入部から抜けるように構成され、
前記第１コネクタ部材及び前記第２コネクタ部材の少なくとも一方は、嵌合時の相対位置のずれを吸収する位置ずれ吸収部を備え、
前記第１突出部と前記第２突出部とが、前記回転軸に対して直交する半径方向に沿って順次配置され、
前記位置ずれ吸収部が、前記第１コネクタ部材又は前記第２コネクタ部材のいずれか一方から他方へ向けて突出する突起部を有して構成され、
前記突起部は、
その突出長さが前記第１突出部の突出長さより短く前記第２突出部の突出長さと略同一であり、かつ、
前記回転軸に対して直交する半径方向において、前記第１突出部及び前記第２突出部よりも遠い側に位置する、遊技機。
【発明の詳細な説明】
【技術分野】
【０００１】
本発明は、複数の電子部品を電気的に接続するコネクタユニットを有する遊技機に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内の遊技釘（ゲージともいう。）や風車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
パチンコ機、スロットマシン等の遊技機には、この遊技機の動作を制御する制御基板が設けられている。制御基板は、演算処理手段としてのＣＰＵ、記憶素子としてのＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備えて構成されており、例えば、景品球等の払出制御、電動役物の動作制御、表示装置の画像制御、特別遊技の当否抽選等、遊技機の動作を制御する。
【０００４】
制御手段による遊技機の制御には、遊技機による遊技を実現するための制御のみならず、遊技者を楽しませるための演出部材の動作制御、画像を表示する画像表示手段の表示制御、及びスピーカ等の音声出力手段の出力制御がある。このような制御は、電子部品に対して通電した状態で実行されるが、電子部品を電気的に接続するハーネス等が断線して、電子部品に対する通電が解除された状態では制御を実行することができなくなる。このような問題を解決するため、特許文献１には、電子部品の出力端子の断線を検出することができる断線検出装置が記載されている。
【先行技術文献】
【特許文献】
【０００５】
【特許文献１】特開２００２−３０６８０８号公報
【発明の概要】
【発明が解決しようとする課題】
【０００６】
特許文献１に記載の断線検出装置は、電子機器の第１出力端子及び第２出力端子が接続される第１入力端子及び第２入力端子と、一方の端子が電源に接続され、他方の端子が基準電位に接続された電荷蓄積回路と、電荷蓄積回路の一方の端子に接続された判定手段と、電荷蓄積回路に蓄積された電荷を放電する放電回路と、電荷蓄積回路に電荷を蓄積する充電回路とを備える。第１入力端子は電荷蓄積回路の一方の端子に接続され、第２入力端子は基準電位に接続され、判定手段は、放電回路により電荷蓄積回路の電荷を放電させた後、充電回路により電荷蓄積回路の充電を開始させた時点から、電荷蓄積回路の電圧が所定電圧以上となるまでの検出時間に基づいて出力端子の断線を検出することができる。
【０００７】
また、近年遊技機の外周を覆う外枠にスピーカ等の電気部品を配置した遊技機が提供されている。このように外枠に電気部品を備えた遊技機においては、電気部品に対して電力を供給する電源手段が電気部品と離れて配置されていることが多い。例えば、外枠に対して開閉自在に設けられた前枠に電源手段が設けられた遊技機においては、前枠と外枠とがハーネス等で電気的に接続された状態で離間してしまい、ハーネスの断線や活線挿抜が発生することがあった。
【０００８】
特許文献１に記載の断線検出装置を備えた遊技機によれば、出力端子の断線を検出することができるが、活線挿抜を防止することができず、ハーネスによって接続された電気部品に不具合等が生じるおそれがあった。
【０００９】
本発明は、上記の事情に鑑みてなされたものであり、電子部品を電気的に接続するコネクタユニットを備える遊技機において活線挿抜を防止することを例示的課題とする。
【課題を解決するための手段】
【００１０】
上記の課題を解決するために、本発明の例示的側面としての遊技機は、遊技機の外枠に設けられた開口部を塞ぐ閉位置と開口部を開放する開位置との間で開閉する前枠と、外枠と前枠とのうち一方に設けられた第１電子部品と、外枠と前枠とのうち他方に設けられた第２電子部品と、第１電子部品と第２電子部品のうち一方に設けられた第１コネクタ部材と、他方に設けられ、第１コネクタ部材と嵌合する第２コネクタ部材と、を有し、第１電子部品と第２電子部品とを電気的に接続するコネクタユニットと、第１コネクタ部材と第２コネクタ部材との嵌合状態を検出する検出手段と、第１電子部品への通電を制御する制御手段と、を備え、前枠が閉位置の状態では、第１コネクタ部材と第２コネクタ部材とが嵌合し、かつ第１電子部品と第２電子部品とが電気的に接続された第１状態となり、第１状態から前枠が開位置へ向かって移動することにより、第１コネクタ部材と第２コネクタ部材との嵌合が解除され、かつ第１電子部品と第２電子部品とが電気的に接続された第２状態となり、第２状態から前枠が開位置に向かって移動することにより、第１電子部品と第２電子部品との電気的な接続が解除された第３状態となるように構成されており、検出手段は、第１状態から第２状態になったことを検出するように構成されており、制御手段は、検出手段による第２状態の検出を契機として、第１電子部品への通電を解除するように構成されている。
【００１１】
第１電子部品と第２電子部品とは、外枠と前枠とに各々設けられており、前枠が外枠に対して開閉することにより、その相対位置が変化するように構成されている。この第１電子部品と第２電子部品とは、第１コネクタ部材と第２コネクタ部材とによって電気的に接続されている。また、検出手段は、第１コネクタ部材と第２コネクタ部材の嵌合状態を検出するように構成されている。
【００１２】
前枠が外枠の開口部を塞いだ閉位置の状態では、第１コネクタ部材と第２コネクタ部材とが嵌合し、かつ第１電子部品と第２電子部品とが電気的に接続された第１状態となる。この第１状態では、第１電子部品と第２電子部品とが電気的に接続されており、制御手段によって第１電子部品と第２電子部品とを制御することができる。
【００１３】
この第１状態から前枠が開位置に向かって移動すると、第１コネクタ部材と第２コネクタ部材との嵌合が解除され、かつ第１電子部品と第２電子部品とが電気的に接続された第２状態となる。この第１コネクタ部材と第２コネクタ部材の嵌合が解除された状態とは、例えば、第１コネクタ部材と第２コネクタ部材の嵌め合いが外れているが、互いに近接して配置されている状態である。
【００１４】
具体的には、第１コネクタ部材と第２コネクタ部材とが端子によって電気的に接続されている場合においては、端子が外れていないが、第１コネクタ部材と第２コネクタ部材が嵌合状態から僅かに離間して端子が外れそうな状態である。この状態から更に前枠が開位置に向かって移動すると、第１コネクタ部材と第２コネクタ部材との分離によって電気的な接続が解除されることが予想される。電気的に接続された状態で第１コネクタ部材と第２コネクタ部材とが分離すると、活線挿抜となり不具合が発生するおそれがある。したがって、制御手段は、第１状態から第２状態になったことを契機として第１電子部品への通電を解除する。
【００１５】
制御手段が第１電子部品への通電を解除するように制御することにより、第１コネクタ部材と第２コネクタ部材とが物理的には接続されているが、第１電子部品と第２電子部品とが通電していない状態となり、活線挿抜を未然に防ぐことが可能となる。
【００１６】
第２状態よりも更に前枠が開位置に向かって移動すると、第１電子部品と第２電子部品との電気的な接続が解除された第３状態となる。制御手段は、第１状態から第２状態になったことを契機として第１電子部品への通電を既に解除しているため、第２状態から第３状態になった際には第１電子部品に通電されておらず、活線挿抜を未然に防止することができる。
【００１７】
なお、外枠とは、前枠によって開閉される開口部を有するものであり、例えばパチンコ機においては、パチンコ機の上面、下面、左側面及び右側面を構成する外枠（筐体枠）であり、スロットマシンにおいては、箱型形状であって、前面に開口部が形成されたキャビネットを例示することができる。また、前枠は、外枠の開口部に対して開閉する部材であり、パチンコ機においては、遊技盤を保持する前枠（機枠）やガラスを保持するガラス枠（装飾枠）であり、スロットマシンにおいては、キャビネットの前面を覆うフロントマスクを例示することができる。
【００１８】
第１コネクタ部材は、第２コネクタ部材側に突出した突出部を有し、第２コネクタ部材は、突出部が挿入される挿入部を有し、突出部は、第１突出部と、第１突出部よりも短い第２突出部と、を有しており、第１状態では、第１突出部及び第２突出部が挿入部に挿入され、第２状態では、第１突出部が挿入部に挿入され、かつ第２突出部が挿入部から抜け、第３状態では、第１突出部及び第２突出部が挿入部から抜けるように構成されており、検出手段は、第２突出部が挿入部から抜けたことに基づいて第１状態から第２状態になったことを検出するように構成されていてもよい。
【００１９】
第１コネクタ部材には長さの異なる第１突出部及び第２突出部が設けられ、第２コネクタ部材には第１突出部及び第２突出部が設けられており、第１突出部及び第２突出部が挿入部に挿入した第１状態、第１突出部のみが挿入部に挿入された第２状態、及び第１突出部及び第２突出部が挿入部から抜けた第３状態を実現することができる。そして、挿入部に対する第１突出部及び第２突出部の挿入状態に基づいて、第２状態になったことを検出することができる。
【００２０】
具体的には、第１電子部品と第２電子部品とを電気的に接続する第１突出部としての接続端子と、コネクタユニットの嵌合状態を検出する第２突出部としての検出端子と、を設ける。第１状態では、接続端子及び検出端子が挿入部に挿入しており、第１電子部品と第２電子部品とが電気的に接続されており、検出部材によって嵌合状態と判定されている。
【００２１】
そして、第１状態から第１コネクタ部材と第２コネクタ部材とが離間すると、検出端子のみ挿入部から抜け、検出端子がＯＦＦ状態となる。このとき、第１突出部は、挿入部に挿入したままであるため、第１電子部品と第２電子部品とを電気的な接続を維持することができる。
【００２２】
しかし、検出端子がＯＦＦ状態になったことを契機として、制御手段が第１電子部品への通電を解除することにより、第１電子部品と第２電子部品との電気的な接続を解除することができる。そして、第２状態から更に第１コネクタ部材と第２コネクタ部材とが離間すると、接続端子が挿入部から抜ける。しかし、第３状態となる前に、第１電子部品への通電が解除されているため、第１電子部品と第２電子部品とが電気的に接続された状態で接続端子が挿入部から抜けること（活線挿抜）を防止することができる。
【００２３】
前枠は、外枠の一側面に沿って配置された回転軸を中心にして開閉するように構成されており、第２突出部は、第１突出部よりも回転軸から離間して配置され、前枠が閉位置から開位置に向かって移動する際に第１突出部よりも先に挿入部から抜けるように構成されていてもよい。
【００２４】
前枠が、外枠の一側面に沿って配置された回転軸を中心にして開閉しており、第１突出部よりも短い第２突出部が回転軸よりも離間して配置されているため、前枠が閉位置から開位置に向かって移動することにより、第１突出部及び第２突出部が挿入部に挿入した第１状態、第１突出部のみが挿入部に挿入された第２状態、及び第１突出部及び第２突出部が挿入部から抜けた第３状態を実現することができる。そして、挿入部に対する第１突出部及び第２突出部の挿入状態に基づいて、第２状態になったことを検出することができる。
【００２５】
このように、第１突出部よりも短い第２突出部を回転軸から離間して配置することにより、前枠の回転角によって、第２突出部が挿入部から抜けるタイミングを第１突出部が挿入部から抜けるタイミングよりも早くすることができる。よって、第１突出部が挿入部から抜ける前に確実に通電を解除して、活線挿抜を防止することが可能となる。
【００２６】
また、第１コネクタ部材及び第２コネクタ部材の少なくとも一方には、嵌合時の相対位置のずれを吸収する位置ずれ吸収部を備えていてもよい。位置ずれ吸収部を備えることにより、前枠が外枠に対して開閉する際に第１コネクタ部材と第２コネクタ部材との位置ずれが生じても、その位置ずれを吸収しつつ、第１コネクタ部材と第２コネクタ部材とを嵌合させたり、この嵌合を解除したりすることができる。
【００２７】
例えば、第１コネクタ部材と第２コネクタ部材が嵌合した状態から離間する方向に移動する際に相対位置のずれが生じていると、コネクタ部材同士が円滑に離間せず、コネクタ部材と接続されたハーネス等が断線してしまうおそれがある。一方、第１コネクタ部材と第２コネクタ部材が離間した状態から嵌合する方向に移動する際に相対位置のずれが生じていると、コネクタ部材同士が円滑に嵌み合わず、嵌合状態を確実に実現できないおそれがある。しかし、位置ずれ吸収部を備えることにより、相対位置のずれを防止し、コネクタ部材に連結されたハーネスの断線等の不具合を未然に防止することができる。
【００２８】
なお、位置ずれ吸収部は、第１コネクタ部材と第２コネクタ部材との互いの位置ずれを吸収できるものであればよく、位置ずれ吸収部を備える具体的なコネクタとしては、ドロワーコネクタ、フローティングコネクタ等を例示することができる。
【００２９】
本発明の更なる目的又はその他の特徴は、以下添付図面を参照して説明される好ましい実施の形態によって明らかにされるであろう。
【発明の効果】
【００３０】
本発明に係る遊技機は、第１コネクタ部材と第２コネクタ部材との嵌合状態の解除を契機として第１電子部品への通電を解除するように制御するため、第１コネクタ部材と第２コネクタ部材との電気的な接続が物理的に解除される前に、第１電子部品と第２電子部品との通電を解除して、活線挿抜を未然に防ぐことが可能となる。
【００３１】
また、第１コネクタ部材と第２コネクタ部材のうち少なくとも一方に、嵌合時の相対位置のずれを吸収する位置ずれ吸収部を設けることにより、前枠が外枠に対して開閉する際に第１コネクタ部材と第２コネクタ部材との位置ずれが生じても、その位置ずれを吸収しつつ、第１コネクタ部材と第２コネクタ部材とを嵌合させたり、この嵌合を解除したりすることができ、コネクタ部材に連結されたハーネスの断線等の不具合を未然に防止することが可能となる。
【図面の簡単な説明】
【００３２】
【図１】本発明の実施の形態に係るパチンコ機の正面図である。
【図２】図１に示すパチンコ機の背面図である。
【図３】パチンコ機の前枠を開放した状態の斜視図である。
【図４】幕板スピーカユニット及びコネクタユニットのブロック図である。
【図５】第１コネクタ部材を示した図である。
【図６】第２コネクタ部材を示した図である。
【図７】第１状態のコネクタユニットの接続部分を模式的に示した図である。
【図８】第２状態のコネクタユニットの接続部分を模式的に示した図である。
【図９】第３状態のコネクタユニットの接続部分を模式的に示した図である。
【図１０】変形例に係るコネクタユニットの接続部分を模式的に示した図である。
【発明を実施するための形態】
【００３３】
以下、本発明の実施の形態１について図面を用いて説明する。図１は、本発明の実施の形態に遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００３４】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００３５】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３６】
遊技機枠３は、パチンコ機２の上面、下面、左側面、及び右側面に設けられ、パチンコ機２の外周を構成する外枠４、外枠４の開口部４ａに配置され遊技盤ユニット５を保持する前枠９、前枠９の前方にヒンジ２２によって前方開閉可能に揺動支持され、ガラス１０及びその周囲を装飾する装飾部材３２を保持するガラス枠１２、を有して構成される。前枠９は、パチンコ機２の右側面の上端と下端とに配置されたヒンジ２２を回転軸として、外枠４の開口部４ａに対して開閉自在である。
【００３７】
図３は、外枠４の開口部４ａに対して前枠９が開放した状態を示した斜視図である。なお、図３においては説明の便宜上、前枠９に装着される遊技盤ユニット５について省略して示している。外枠４の下部には、幕板４０と、幕板スピーカユニット４１と、が設けられている。幕板４０及び幕板スピーカユニット４１は、外枠４に対して固定されており、幕板４０の後方に幕板スピーカユニット４１が配置されている。幕板４０には、音声を出力するための開口部４０ａが形成されており、幕板スピーカユニット４１から出力された音声は、この開口部４０ａを介して前方に出力される。
【００３８】
図４は、幕板スピーカユニット４１及びコネクタユニットのブロック図である。幕板スピーカユニット４１は、振動に基づき音声を発生させる振動板を前面側に有するスピーカ４１ａと、スピーカ４１ａを音声出力するためアンプ（第１電子部品）４１ｂと、スピーカ４１ａ及びアンプ４１ｂを収容する収容部４１ｃと、を有する。また、収容部４１ｃの上部には、アンプ４１ｂとハーネス４１ｄによって接続された第１コネクタ部材４２が配置されている。
【００３９】
第１コネクタ部材４２は、前枠９に設けられた第２コネクタ部材４３と共にコネクタユニットを構成している。また、前枠９には、スピーカ４１ａの音声出力を制御する演出制御基板４６（第２電子部品）が設けられている。演出制御基板４６は、第２コネクタ部材４３とハーネス４５によって接続されている。この演出制御基板４６の配置等については、後述にて詳細に説明する。
【００４０】
第１コネクタ部材４２と第２コネクタ部材４３とが嵌合することにより、外枠４に設けられたアンプ４１ｂと、前枠９に設けられた演出制御基板４６と、が電気的に接続されるように構成されている。この第１コネクタ部材４２及び第２コネクタ部材４３の嵌合態様及びスピーカ４１ａの制御処理については、後述にて詳細に説明する。
【００４１】
また、ガラス枠１２に装着されたガラス１０は、遊技機枠３内部側に保持された遊技盤６を前方から遊技者が視認することができるようにするための透明部材である。ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００４２】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４３】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４４】
遊技盤ユニット５は、遊技盤面６ａ側の略中央に遊技役物としてのセンター役物７が配置された遊技盤６を有しており、その遊技盤面６ａには多数の遊技釘２７も配置されている。
【００４５】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４６】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４７】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００４８】
第１図柄（特別図柄)表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４９】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５０】
図２に示すように遊技盤６の裏面側には、パチンコ機２の全体の制御を行う遊技制御手段としての主制御基板（図示せず）を内包する主制御基板ケース３５と、演出表示装置７ａの画像表示等演出の制御や、スピーカ４１ａの音声出力制御等を行う演出制御基板４６を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５１】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００５２】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５３】
次いで、コネクタユニットの嵌合態様及びスピーカ４１ａの音声出力制御について、図５から図９に基づいて詳細に説明する。以下の説明においては、上下及び前後左右の方向は、遊技者からパチンコ機２を見た際の方向に基づいて定義し、図中に適宜図示する。
【００５４】
コネクタユニットは、アンプ４１ｂと接続された第１コネクタ部材４２と、演出制御基板４６と接続された第２コネクタ部材４３と、を備えており、アンプ４１ｂと演出制御基板４６とを電気的に接続する。図５は、第１コネクタ部材４２を示した図であり、図６は、第２コネクタ部材４３を示した図である。図５及び図６における（ａ）は正面図であり、（ｂ）は底面図であり、（ｃ）は側面図である。第１コネクタ部材４２と第２コネクタ部材４３は、互いにその底面が対向するように配置される。
【００５５】
第１コネクタ部材４２の底面には、第１突出部としての接続端子４２ａと、第１突出部よりも短い第２突出部としての検出端子４２ｂと、が設けられている。接続端子４２ａと検出端子４２ｂは、各々２本ずつ配置されている。また、第２コネクタ部材４３の底面には、２本の接続端子４２ａと、２本の検出端子４２ｂと、が各々挿入される４個の挿入部４３ａが設けられている。
【００５６】
接続端子４２ａは、アンプ４１ｂと演出制御基板４６とを電気的に接続するための端子であり、挿入部４３ａに挿入されることによりアンプ４１ｂと演出制御基板４６とが電気的に接続される。また、検出端子４２ｂは、第１コネクタ部材４２と第２コネクタ部材４３の嵌合状態を検出させるための端子であり、挿入部４３ａに挿入されることにより嵌合状態が検出される。
【００５７】
演出制御基板４６は、挿入部４３ａへの検出端子４２ｂの挿入を検出するように構成されており、挿入部４３ａに検出端子４２ｂが挿入していることを検出することにより、第１コネクタ部材４２と第２コネクタ部材４３が嵌合していると判定する。更に、演出制御基板４６は、挿入部４３ａから検出端子４２ｂが抜けたことを検出することにより、嵌合状態から離間状態に向けて移動していると判定し、アンプ４１ｂへの通電を遮断するように構成されている。すなわち、演出制御基板４６は、制御手段としての機能と、検出手段としての機能と、を備えている。
【００５８】
次いで、図７から図９に基づいてコネクタユニットの嵌合態様及び演出制御基板４６による音声出力制御について詳細に説明する。図７は、第１コネクタ部材４２と第２コネクタ部材４３とが嵌合した第１状態を示している。この第１状態では、接続端子４２ａと検出端子４２ｂは共に挿入部４３ａに挿入されている。演出制御基板４６は、検出端子４２ｂが挿入部４３ａに挿入されていること（ＯＮ状態）を検出し、アンプ４１ｂと演出制御基板４６とが通電するように制御する。したがって、第１コネクタ部材４２と第２コネクタ部材４３とを介してアンプ４１ｂと演出制御基板４６とが電気的に接続され、スピーカ４１ａによる音声出力が可能となる。
【００５９】
この第１状態から前枠９が開位置に向かってヒンジ２２を中心に回転移動すると、図８に示す第２状態となる。この第２状態では、検出端子４２ｂは挿入部４３ａから抜けており、接続端子４２ａのみが挿入部４３ａに挿入されている。接続端子４２ａよりも短い検出端子４２ｂが抜けており、第１コネクタ部材４２と第２コネクタ部材４３とが離間するように移動し、次いで接続端子４２ａが挿入部４３ａから抜けることが予想される。例えば、演出制御基板４６とアンプ４１ｂとが電気的に接続された状態で接続端子４２ａが挿入部４３ａから抜けると、活線挿抜となり不具合が発生するおそれがある。
【００６０】
よって、演出制御基板４６は、検出端子４２ｂのＯＦＦ状態の検出を契機としてアンプ４１ｂへの通電を解除するように制御する。したがって、第１コネクタ部材４２と第２コネクタ部材４３とが物理的には接続されているが、アンプ４１ｂと演出制御基板４６とが通電していない状態となり、活線挿抜を未然に防ぐことが可能となる。
【００６１】
そして、第２状態から更に前枠９が開位置に向かってヒンジ２２を中心に回転移動すると、図９に示す第３状態となる。この第３状態では、接続端子４２ａと検出端子４２ｂが共に挿入部４３ａから抜けている。この第３状態となる前に接続端子４２ａに対する通電が解除されている。したがって、活線挿抜を防止しつつ、第１コネクタ部材４２と第２コネクタ部材４３とを離間させることができる。
【００６２】
また、第２コネクタ部材４３の挿入部４３ａは、第１コネクタ部材４２の接続端子４２ａ及び検出端子４２ｂよりも大きく形成されており、第１コネクタ部材４２と第２コネクタ部材４３との相対位置が多少ずれた場合であっても、その位置ずれを吸収することができるように構成されている。すなわち、挿入部４３ａが位置ずれ吸収部としての機能を備えており、第１コネクタ部材４２と第２コネクタ部材４３との位置ずれを吸収し、コネクタユニットの円滑な嵌合及び分離を実現することができ、コネクタユニットに接続されたハーネスの断線を防ぐことができる。
【００６３】
なお、本実施の形態では、位置ずれ吸収部としての機能を第２コネクタ部材４３の挿入部４３ａに設けているが、この構成に限られず、第１コネクタ部材４２及び第２コネクタ部材４３のうちいずれか一方にダンパーや弾性部材を設けて、互いの位置ずれを吸収するように構成してもよい。
【００６４】
以上のように本実施の形態に係るパチンコ機２によれば、第１コネクタ部材４２と第２コネクタ部材４３との嵌合状態を検出し、第１コネクタ部材４２と第２コネクタ部材４３とが物理的に分離する前に、アンプ４１ｂと演出制御基板４６との電気的な接続を解除するため、活線挿抜を防止し、活線挿抜に基づく不具合の発生を抑制することができる。
【００６５】
以上、本発明の好ましい実施の形態を説明したが、本発明はこれらに限定されるものではなく、その要旨の範囲内で様々な変形や変更が可能である。例えば、実施の形態では、検出端子４２ｂの挿入部４３ａへの挿入状態に基づいて、コネクタユニットの嵌合状態を検出するように構成しているが、コネクタユニットと別個に検出手段を設けてもよい。
【００６６】
次いで、変形例に係るコネクタユニット及び検出手段について図１０に基づいて詳細に説明する。図１０は、コネクタユニットの接続部分を模式的に示した図である。図１０（ａ）は、第１状態であり、（ｂ）は第２状態であり、（ｃ）は第３状態である。なお、実施の形態と同様の構成については、同符号を用いて説明を省略する。変形例に係るコネクタユニットは、互いに嵌合する第１コネクタ部材１４２と、第２コネクタ部材１４３と、を有する。コネクタユニットの側方には、第１コネクタ部材１４２と第２コネクタ部材１４３との嵌合状態を検出する押圧スイッチ１４４が設けられている。また、第１コネクタ部材１４２には、実施の形態と異なり接続端子１４２ａのみ設けられている。
【００６７】
押圧スイッチ１４４は、前後方向にスライド移動する突出部１４４ａと、突出部１４４ａよりも後方に配置されたベース部１４４ｂと、突出部１４４ａとベース部１４４ｂとの間に配置されたバネ部１４４ｃと、を有する。第１コネクタ部材１４２と第２コネクタ部材１４３とが嵌合した状態では、前枠９によって突出部１４４ａが後方に押圧され、突出部１４４ａとベース部１４４ｂとが接触する。押圧スイッチ１４４は、突出部１４４ａとベース部１４４ｂとの接触状態（ＯＮ状態）を検出するように構成されており、演出制御基板４６は、押圧スイッチ１４４のＯＮ状態を検出すると、アンプ４１ｂに対して通電するように制御する。
【００６８】
また、前枠９が開位置に向かって移動して突出部１４４ａから離間すると、突出部１４４ａはバネ部１４４ｃによって前方に押圧されて、突出部１４４ａとベース部１４４ｂとが非接触状態となる。演出制御基板４６は、押圧スイッチ１４４がＯＮ状態からＯＦＦ状態となったことを検出すると、アンプ４１ｂへの通電を解除するように制御する。
【００６９】
（ａ）は、第１コネクタ部材１４２と第２コネクタ部材１４３とが嵌合した第１状態であり、接続端子１４２ａが挿入部に挿入されており、押圧スイッチ１４４の突出部１４４ａとベース部１４４ｂとが接触している。演出制御基板４６は、押圧スイッチ１４４のＯＮ状態を検出し、アンプ４１ｂが通電するように制御する。したがって、第１コネクタ部材１４２と第２コネクタ部材１４３とを介してアンプ４１ｂと演出制御基板４６とが電気的に接続されている。
【００７０】
この第１状態から前枠９が開位置に向かってヒンジ２２を中心に回転移動すると、（ｂ）に示す第２状態となる。この第２状態では、前枠９が押圧スイッチ１４４の突出部１４４ａから離間しており、接続端子１４２ａは挿入部に挿入されている。演出制御基板４６は、押圧スイッチ１４４のＯＦＦ状態を検出し、アンプ４１ｂへの通電を解除するように制御する。したがって、第１コネクタ部材１４２と第２コネクタ部材１４３とが物理的に接続されているが、アンプ４１ｂと演出制御基板４６とが通電していない状態となり、活線挿抜を未然に防ぐことが可能となる。
【００７１】
そして、第２状態から更に前枠９が開位置に向かってヒンジ２２を中心に回転移動すると、（ｃ）に示す第３状態となる。この第３状態では、接続端子１４２ａが共に挿入部から抜けている。この第３状態となる前にアンプ４１ｂに対する通電が解除されており、活線挿抜を防止しつつ第１コネクタ部材１４２と第２コネクタ部材１４３とを離間させることができる。
【００７２】
このように変形例に係るパチンコ機によっても、第１コネクタ部材１４２と第２コネクタ部材１４３との嵌合状態を検出し、第１コネクタ部材１４２と第２コネクタ部材１４３とが物理的に分離する前に、アンプ４１ｂと演出制御基板４６との電気的な接続を解除するため、活線挿抜を未然に防止することができ、活線挿抜による不具合の発生を防止することができる。
【符号の説明】
【００７３】
２：パチンコ機（遊技機）
３：遊技機枠
４：外枠
４ａ：開口部
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄)表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３５：主制御基板ケース
３６：演出制御基板ケース
３７：払出制御基板ケース
３８：電源基板ケース
３９：外部出力端子板
４０：幕板
４０ａ：開口部
４１：幕板スピーカユニット
４１ａ：スピーカ
４１ｂ：アンプ（第１電子部品）
４１ｃ：収容部
４１ｄ：ハーネス
４２：第１コネクタ部材
４２ａ：接続端子（第１突出部）
４２ｂ：検出端子（第２突出部）
４３：第２コネクタ部材
４３ａ：挿入部
４５：ハーネス
４６：演出制御基板（第２電子部品）
１４２：第１コネクタ部材
１４２ａ：接続端子
１４３：第２コネクタ部材
１４４：押圧スイッチ
１４４ａ：突出部
１４４ｂ：ベース部
１４４ｃ：バネ部
【図１】
0005483545.tif 000002
【図２】
0005483545.tif 000003
【図３】
0005483545.tif 000004
【図４】
0005483545.tif 000005
【図５】
0005483545.tif 000006
【図６】
0005483545.tif 000007
【図７】
0005483545.tif 000008
【図８】
0005483545.tif 000009
【図９】
0005483545.tif 000010
【図１０】
0005483545.tif 000011